(57)【要約】      （修正有）【課題】プロジェクターのケーブルに引っ掛かった人がケーブルを介してプロジェクターを引っ張って机上から落下させてしまうのを防止することができる画像投写システムを提供する。【解決手段】スクリーン面に画像を投写するプロジェクターの机上からの落下を防止するために、机の天板に固定される固定部（貫通口５２及び被押さえ部５３）と、天板の表面上に置かれた状態で外力によって引っ張られて机の側方に向かおうとするプロジェクターに引っ掛かることでプロジェクターの移動を阻止する引っ掛かり部５４とを具備する落下防止具５０を設けた。【選択図】図６
2018151562.tif 000002
【特許請求の範囲】
【請求項１】
机の天板に固定される固定部と、外力によって前記天板上で前記机の側方に向かおうとする画像投写装置に引っ掛かる引っ掛かり部とを具備することを特徴とする落下防止具。
【請求項２】
請求項１の落下防止具であって、
前記引っ掛かり部が、前記画像投写装置の一部に係合する係合部であることを特徴とする落下防止具。
【請求項３】
請求項１又は２の落下防止具であって、
前記固定部が、雄ネジを貫通させる貫通口と前記雄ネジの頭部で押さえられる被押さえ部とを具備するものであることを特徴とする落下防止具。
【請求項４】
請求項１又は２の落下防止具であって、
前記固定部が、前記天板を厚み方向に挟み込むことで前記天板に固定される挟み込み部を具備するものであることを特徴とする落下防止具。
【請求項５】
投写対象面に画像を投写する画像投写装置と、請求項１乃至４の何れか一項に記載の落下防止具とを有することを特徴とする画像投写システム。
【請求項６】
請求項５の画像投写システムであって、
前記画像投写装置が、伸縮に伴って投写のあおり角を変化させるあおり角調整脚を具備するものであり、
且つ、前記落下防止具が、前記あおり角調整脚の先端部を受け入れる貫通口を有するものであことを特徴とする画像投写システム。
【請求項７】
請求項５の画像投写システムであって、
前記画像投写装置が、伸縮に伴って投写のあおり角を変化させるあおり角調整脚を具備するものであり、
且つ、前記引っ掛かり部が、前記あおり角調整脚の先端部に係合する係合部であることを特徴とする画像投写システム。
【発明の詳細な説明】
【技術分野】
【０００１】
本発明は、投写対象面に画像を投写する画像投写装置の机上からの落下を防止するための落下防止具、及びこれを有する画像投写システムに関するものである。
【背景技術】
【０００２】
従来、投写対象面に画像を投写する画像投写装置が知られている。例えば、特許文献１には、ランプや投写レンズなどからなる光学系から出射した光によって投写対象面に画像を投写する画像投写装置としてのプロジェクターが記載されている。
【発明の概要】
【発明が解決しようとする課題】
【０００３】
会議室などでは、机上にプロジェクターを置いて使用することが一般的に行われる。そのプロジェクターには、一般に、電源ケーブルや信号ケーブルなどの多くのケーブルが接続される。それらのケーブルをプロジェクターが置かれている机の天板の上から床に下げていると、机の傍を通った人がケーブルに引っ掛かってプロジェクターを机上から落下させてしまうおそれがある。
【課題を解決するための手段】
【０００４】
上述した課題を解決するために、本発明は、机の天板に固定される固定部と、外力によって前記天板上で前記机の側方に向かおうとする画像投写装置に引っ掛かる引っ掛かり部とを具備することを特徴とするものである。
【発明の効果】
【０００５】
本発明によれば、画像投写装置のケーブルに引っ掛かった人がケーブルを介して画像投写装置を引っ張って机上から落下させてしまうのを防止することができるという優れた効果がある。
【図面の簡単な説明】
【０００６】
【図１】実施形態に係る画像投写システムのプロジェクターを示す斜視図。
【図２】同プロジェクターを示す右側面図。
【図３】机の天板上に置かれた同プロジェクターを示す側面図。
【図４】同天板上から落下した同プロジェクターを示す側面図。
【図５】同画像投写システムの落下防止具を示す斜視図。
【図６】本体部の位置で破断した同落下防止具を示す縦断面図。
【図７】机上にセットされた同落下防止具及び同プロジェクターを示す側面図。
【図８】机上にセットされた同落下防止具及び同プロジェクターを示す斜視図。
【図９】第一変形形態に係る画像投写システムの落下防止具を示す斜視図。
【図１０】同落下防止具をプロジェクターの前脚部とともに示す斜視図。
【図１１】第二変形形態に係る画像投写システムのプロジェクターを示す斜視図。
【図１２】同画像投写システムの落下防止具を示す斜視図。
【図１３】机に固定された同落下防止具と、同机と、これの天板上に置かれた同プロジェクターとを示す断面図。
【図１４】第三変形形態に係る画像投写システムの落下防止具を示す斜視図。
【図１５】第四変形形態に係る画像投写システムの落下防止具を示す斜視図。
【発明を実施するための形態】
【０００７】
以下、本発明を適用した画像投写システムの一実施形態について説明する。実施形態に係る画像投写システムは、画像投写装置たるプロジェクターと、これの机上からの落下を防止するための落下防止具とを備えている。
【０００８】
まず、実施形態に係る画像投写装置の基本的な構成について説明する。図１は、実施形態に係る画像投写システムのプロジェクター１を示す斜視図である。また、図２は、プロジェクター１を示す右側面図である。これらの図において、プロジェクター１の筐体２の上面２ａを構成する天板には、ユーザーによるプロジェクター１の操作のための各種指示を行うための操作ボタン等からなる操作部１１が設けられている。
【０００９】
筐体２には、光学レンズ筒を収めるための凹部が天板から窪むように設けられている。この光学レンズ筒には、投写対象面たるスクリーン面を具備するスクリーン２００に映し出されている投影画面を拡大したり、縮小したりするための操作が行われるズームレバー１２が設けられている。
【００１０】
筐体２の正面２ｂを構成する前側板には、装置電源を供給するためのＡＣインレット１３、パソコンやビデオカメラ等の外部機器と接続するための外部入力端子１４、装置環境の照度を検出する照度センサー１６などが設けられている。また、光学レンズ筒の先端部に設けられた投写レンズ１５が前側板に設けられた開口を通じて正面側を向いている。
【００１１】
筐体２の左側面２ｃを構成する左側板には、筐体２内の空気を排気するための通気口としての排気口１７が設けられている。一方、筐体２の右側面２ｄを構成する右側板には、外気を取り入れるための通気口としての吸気口が設けられている。その吸気口から筐体２内に吸気された空気は、筐体２内を流れて筐体２内の各機器を冷却するのに伴って温度上昇した後、左側板の排気口１７から外部に排出される。
【００１２】
このプロジェクター１は、光学レンズ筒、光源、ＤＭＤ（Ｄｉｇｉｔａｌ  Ｍｉｒｒｏｒ  Ｄｅｖｉｃｅ）などを具備する照明光学部４０を用いて、画像をスクリーンなどに投写することができる。
【００１３】
従来、電源ケーブルが接続されるＡＣインレット１３や、映像信号ケーブルが接続される外部入力端子１４は、プロジェクター１の後側板に設けられるのが一般的であった。しなしながら、プロジェクター１の筐体の後側板にそれらを設けると、電源ケーブルや映像信号ケーブルを机の天板の上に這わす必要が生じて、天板の上を煩雑にしてしまう。そこで、このプロジェクター１では、図１に示されるように、ＡＣインレット１３や外部入力端子１４をプロジェクター１の筐体の前側板に設けている。
【００１４】
図３は、机３００の天板上に置かれたプロジェクター１を示す側面図である。図示のように、筐体の前側板にケーブル類２９を接続するプロジェクター１では、プロジェクター１を机３００の天板における投写対象面側の端部に設置することで、次のことが可能になる。即ち、ケーブル類２９を机３００の天板上に這わすことなく、プロジェクター１に電源や映像信号を供給することができる。
【００１５】
ところが、プロジェクター１を図示のように机３００の天板の端部に設置することが一般的に行われるようになることから、プロジェクター１を天板の中央部に設置する場合に比べて、天板からの落下の可能性が高くなる。プロジェクター１の前を通った人がケーブル類２９に引っ掛かると、図４に示されるように、プロジェクター１を机上から落下させてしまうおそれがある。
【００１６】
次に、実施形態に係る画像投写システムの特徴的な構成について説明する。
図５は、実施形態に係る画像投写システムの落下防止具５０を示す斜視図である。この落下防止具５０は、アルミなどの金属からなり、平板状の本体部５１、これに設けられた二つの貫通口５２、本体部５１の短手方向の一端部から鉛直方向上方に向けて立ち上がる引っ掛かり部５４などを有している。
【００１７】
図６は、本体部５１の位置で破断した落下防止具５０を示す縦断面図である。同図に示されるように、本体部５１に設けられた貫通口５２の上部の外縁は、穴中心軸線に向けて下るテーパー形状の被押さえ部５３になっている。この被押さえ部５３には、貫通口５２に通された皿ネジの頭部が押し当てられる。
【００１８】
図７は、机３００上にセットされた落下防止具５０及びプロジェクター１を示す側面図である。また、図８は、机３００上にセットされた落下防止具５０及びプロジェクター１を示す斜視図である。これらの図において、落下防止具５０は、二つの皿ネジ７１によって机３００の天板３０１に固定されている。それらの皿ネジ７１は、落下防止具５０の本体部５１に設けられた二つの貫通口（図６の５２）に通された状態で、机３００の天板３０１に埋め込まれた丸ボスの雌ネジに螺号している。この螺号により、皿ネジ７１の頭部が前記貫通口の上部外縁となるテーパー上の被押さえ部５３に強く当たって本体部５１を天板３０１に強く押し付ける。
【００１９】
このようにして机３００の天板３０１に固定された落下防止具５０の引っ掛かり部５４に対して、図７に示されるように、筐体の前面下部を軽く接触させる状態でプロジェクター１が天板３０１の上に置かれる。プロジェクター１の前側板から延びて床上に向かうケーブル類２９に引っ掛かった人が、ケーブル類２９を介してプロジェクター１を図７の矢印Ａ方向に引っ張ったとする。このような引っ張り力が働いても、プロジェクター１は、前側板の下部が落下防止具５０の引っ掛かり部５４に引っ掛かることで矢印Ａ方向への移動を阻止されることから、机３００上からの落下が防止される。
【００２０】
よって、落下防止具５０は、プロジェクター１のケーブル類２９に引っ掛かった人がケーブル類２９を介してプロジェクター１を引っ張って机３００上から落下させてしまうのを防止することができる。
【００２１】
次に、実施形態に係る画像投写システムの落下防止具５０の一部の構成を他の構成に変形した各変形形態について説明する。なお、以下に特筆しない限り、各変形形態に係る画像投写システムの構成は実施形態と同様である。
【００２２】
図９は、第一変形形態に係る画像投写システムの落下防止具５０を示す斜視図である。この落下防止具５０の本体部５１は、実施形態のものよりも肉厚になっている。落下防止具５０には、引っ掛かり部として機能するＬ字状に折れ曲がった部分が存在していない。その代わりに、本体部５１に、半円切り欠き状の係合部５９が二つ設けられている。
【００２３】
一方の係合部５９は、図１０に示されるように、プロジェクター１の右前脚部３８に係合する。また、他方の係合部５９は、プロジェクター１の左前足部３９に係合する。ケーブル類２９に引っ掛かった人がケーブル類２９を介してプロジェクター１を自らに向けて引っ張ると、プロジェクター１の二つの前足部（３８、３９）のそれぞれが個別に落下防止具５０の係合部５９に引っ掛かる。これにより、プロジェクター１の机３００上からの落下が防止される。つまり、係合部５９は引っ掛かり部として機能する。
【００２４】
図１１は、第二変形形態に係る画像投写システムのプロジェクター１を示す斜視図である。同図において、プロジェクター１は、あおり角調整脚３５を有している。このあおり角調整脚３５の上部は雄ネジになっていて、プロジェクター１の底板の前端部中央に切られたメスネジに螺号している。ネジを締める方向にあおり角調整脚３５を回転させると、筐体底板からのあおり角調整脚３５の出っ張り量を減少させて、プロジェクター１の傾きをより小さくすることが可能である。この逆に、ネジを緩める方向にあおり角調整脚３５を回転させると、筐体底板からのあおり角調整脚３５の出っ張り量を増加させて、プロジェクター１の傾きをより大きくすることが可能である。
【００２５】
図１２は、第二変形形態に係る画像投写システムの落下防止具５０を示す斜視図である。この落下防止具５０は、天平板、これの下方で少しのギャップを介して天平板に対向する挟み板５６、これの下方で大きなギャップを介して挟み板５６に対向するネジ支持板５７、挟みネジ５８等を具備している。また、天平板、挟み板５６、及びネジ支持板５７を方持ち支持する背板６０も具備している。
【００２６】
天平板５５には、自由端側の端部中央に受入貫通口５５ａが設けらている。
【００２７】
挟みネジ５８は、雄ネジ部５８ａ、皿状の挟み部５８ｂ、及びハンドル５８ｃを具備している。そして、雄ネジ部５８ａの先端に固定された挟み部５８ｂを挟み板５６とネジ支持板５７との間に介在させる状態で、雄ネジ部５８ａをネジ支持板５７に切られた雌ネジに螺号させている。ハンドル５８ｃを把持したユーザーがハンドル５８ｃの回転によって螺号量を調整することで、挟み板５６と、挟みネジ５８の挟み部５８ｂとの距離を調整することができる。
【００２８】
図１３は、机３００に固定された落下防止具５０と、机３００と、これの天板３０１上に置かれたプロジェクター１とを示す断面図である。落下防止具５０は、挟み板５６と挟みネジ５８の挟み部５８ｂとの間に天板３０１を厚み方向に挟み込むことで、天板３０１に固定されている。つまり、挟み板５６及び挟みネジ５８は、天板３０１を厚み方向に挟み込むことで天板３０１に固定される挟み込み部として機能している。かかる構成では、天板３０１に穴開け加工をすることなく、落下防止具５０を天板３０１に固定することができる。
【００２９】
プロジェクター１のあおり角調整脚３５は、筐体底板の雌ネジに螺号する雄ネジ部３５ａと、これの下端に固定された円盤状の台座部３５ｂとを具備している。プロジェクター１は、図示のように、あおり角調整脚３５を落下防止具５０の天平板５５の受入貫通口５５ａに貫通させ、且つあおり角調整脚３５の台座部３５ｂを天板３０１上に載せる状態で天板３０１の上に置かれる。
【００３０】
ケーブル類２９に引っ掛かった人がケーブル類２９を介してプロジェクター１を自らに向けて引っ張ると、プロジェクター１のあおり角調整脚３５の台座部３５ｂが。落下防止具５０の挟み板５６の側面に引っ掛かる。これにより、プロジェクター１の机３００上からの落下が防止される。つまり、挟み板５６は引っ掛かり部として機能する。
【００３１】
図１４は、第三変形形態に係る画像投写システムの落下防止具５０を示す斜視図である。第三変形形態に係る画像投写システムは、以下説明する点だけが、第二変形形態と異なっている。
【００３２】
落下防止具５０は、天平板を具備していない。挟み板５６の自由端側の端部中央には、半円切り欠き状の係合部５６ａが設けられている。プロジェクター１のあおり角調整脚３５の台座部３５ｂにおける周方向の約半分を、その係合部５６ａに係合させる状態で、プロジェクター１が机３００の天板３０１上に置かれる。
【００３３】
ケーブル類２９に引っ掛かった人がケーブル類２９を介してプロジェクター１を自らに向けて引っ張ると、プロジェクター１のあおり角調整脚３５の台座部３５ｂが。落下防止具５０の挟み板５６の係合部５６ａに引っ掛かる。これにより、プロジェクター１の机３００上からの落下が防止される。つまり、係合部５６ａは引っ掛かり部として機能する。
【００３４】
図１５は、第四変形形態に係る画像投写システムの落下防止具５０を示す斜視図である。第四変形形態に係る画像投写システムは、以下説明する点だけが、第三変形形態と異なっている。
【００３５】
落下防止具５０の挟み板５６は、第三変形形態のものよりも肉厚になっている。そして、肉厚の挟み板５６に設けられた係合部５６ｂは、第三変形形態のものとは異なり、半円切り欠き状ではなく、円状の凹部になっている。この係合部５６ｂが、あおり角調整脚３５の円盤状の台座部３５ｂにおける周方向の全てを受け入れて台座部３５ｂに係合する。
【００３６】
以上に説明したものは一例であり、次の態様毎に特有の効果を奏する。
［態様Ａ］
態様Ａは、落下防止具であって、机（例えば机３００）の天板に固定される固定部と、外力によって前記天板上で前記机の側方に向かおうとする画像投写装置（例えばプロジェクター１）に引っ掛かる引っ掛かり部（例えば引っ掛かり部５４）とを具備することを特徴とするものである。
【００３７】
態様Ａにおいては、机の天板から床面に向けて垂れ下がっているケーブルを引っ掛けてしまった通行人が、ケーブルを介してそのケーブルに繋がっている画像投写装置を引っ張ったとする。このような引っ張り力によって画像投写装置が通行に向けて移動しようとすると、机の天板に固定された落下防止具の引っ掛かり部が画像投写装置に引っ掛かることで、その移動を阻止して画像投写装置の机上からの落下を防止する。このように、画像投写装置のケーブルに引っ掛かった人がケーブルを介して画像投写装置を引っ張って机上から落下させてしまうのを防止することができる。
【００３８】
［態様Ｂ］
態様Ｂは、態様Ａであって、前記引っ掛かり部が、前記画像投写装置の一部に係合する係合部であることを特徴とするものである。かかる構成では、引っ掛かり部として機能する係合部を画像投写装置の一部に係合させることで、係合部を確実に画像投写装置に引っ掛けて画像投写装置の机上からの落下を防止することができる。
【００３９】
［態様Ｃ］
態様Ｃは、態様Ａ又はＢであって、前記固定部が、雄ネジを貫通させる貫通口（例えば貫通口５２）と前記雄ネジの頭部で押さえられる被押さえ部（例えば被押さえ部５３）とを具備するものであることを特徴とするものである。かかる構成では、ネジ止めによって落下防止具を机の天板に固定することができる。
【００４０】
［態様Ｄ］
態様Ｄは、態様Ａ又はＢの落下防止具であって、前記固定部が、前記天板を厚み方向に挟み込むことで前記天板に固定される挟み込み部（例えば挟み板５６及び挟みネジ５８の組み合わせ）を具備するものであることを特徴とするものである。
【００４１】
［態様Ｅ］
態様Ｅは、画像投写システムであって、投写対象面に画像を投写する画像投写装置と、態様Ａ〜Ｄの何れかとを有することを特徴とするものである。
【００４２】
［態様Ｆ］
態様Ｆは、態様Ｅであって、前記画像投写装置が、伸縮に伴って投写のあおり角を変化させるあおり角調整脚（例えばあおり角調整脚３５）を具備するものであり、且つ、前記落下防止具が、前記あおり角調整脚の先端部を受け入れる受入貫通口（例えば受入貫通口５５ａ）を有するものであことを特徴とするものである。かかる構成では、あおり角調整による画像投写装置の傾きにかかわらず、あおり角調整脚を落下防止具に確実に引っ掛けることができる。
【００４３】
［態様Ｇ］
態様Ｇは、態様Ｅであって、前記画像投写装置が、伸縮に伴って投写のあおり角を変化させるあおり角調整脚を具備するものであり、且つ、前記引っ掛かり部が、前記あおり角調整脚の先端部に係合する係合部（例えば係合部５６ａ、５６ｂ）であることを特徴とするものである。かかる構成では、あおり角調整による画像投写装置の傾きにかかわらず、あおり角調整脚を落下防止具に確実に引っ掛けることができる。
【符号の説明】
【００４４】
１：プロジェクター（画像投写装置）
３５：あおり角調整脚
５０：落下防止具
５２：貫通口（固定部の一部）
５３：被押さえ部（固定部の一部）
５４：引っ掛かり部
５５ａ：受入貫通口
５６：挟み板（挟み込み部の一部）
５６ａ：係合部
５６ｂ：係合部
５８：挟みネジ（挟み込み部の一部）
５９：係合部
３００：机
３０１：天板
【先行技術文献】
【特許文献】
【００４５】
【特許文献１】特開２０１５−１５５３号公報
【図１】
2018151562.tif 000003
【図２】
2018151562.tif 000004
【図３】
2018151562.tif 000005
【図４】
2018151562.tif 000006
【図５】
2018151562.tif 000007
【図６】
2018151562.tif 000008
【図７】
2018151562.tif 000009
【図８】
2018151562.tif 000010
【図９】
2018151562.tif 000011
【図１０】
2018151562.tif 000012
【図１１】
2018151562.tif 000013
【図１２】
2018151562.tif 000014
【図１３】
2018151562.tif 000015
【図１４】
2018151562.tif 000016
【図１５】
2018151562.tif 000017